(57)【要約】【課題】原稿の厚さが異なる場合でも、原稿に付着した付着物により画像読取品質が低下することを抑制することができる原稿送り装置及び画像読取装置を提供する。【解決手段】原稿送り装置２は、湾曲した部分を有し、原稿１０が搬送される搬送路２２と、搬送路２２の湾曲した部分の終端部を横切るように設定された画像読取線７０上の原稿１０が通過する位置を変更する経路変更部材２３Ａとを備える。【選択図】図２
2010190979.tif 000002
【特許請求の範囲】
【請求項１】
湾曲した部分を有し、原稿が搬送される搬送路と、
前記搬送路の前記湾曲した部分の終端部を横切るように設定された画像読取線上の前記原稿が通過する位置を前記搬送路内で変更する変更部材とを備えた原稿送り装置。
【請求項２】
湾曲した部分を有し、原稿が搬送される搬送路と、
前記搬送路を搬送する前記原稿の厚みを検知する検知部と、
前記検知部により検知された前記原稿の厚みに応じて、前記搬送路の前記湾曲した部分の終端部を横切るように設定された画像読取線上の前記原稿が通過する位置を前記搬送路内で制御する制御部とを備えた原稿送り装置。
【請求項３】
前記変更部材は、前記搬送路の前記湾曲した部分により前記原稿が湾曲されたときの反力を受けて弾性変形することにより、画像読取線上の前記原稿が通過する位置を前記搬送路内で変更する請求項１に記載の原稿送り装置。
【請求項４】
湾曲した部分を有し、原稿が搬送される搬送路と、
前記搬送路の前記湾曲した部分の終端部を横切るように設定された画像読取線上の前記原稿が通過する位置を前記搬送路内で変更する変更部材と、
前記画像読取線上を通過した前記原稿を光学的に読み取る読取部とを備えた画像読取装置。
【発明の詳細な説明】
【技術分野】
【０００１】
本発明は、原稿送り装置及び画像読取装置に関する。
【背景技術】
【０００２】
従来、スリットガラス上に原稿を通過させつつ、スリットガラスの読取位置からその原稿を読み取る画像読取装置が知られている（例えば、特許文献１参照。）。
【０００３】
この画像読取装置は、読取位置上を通過する原稿にスリットガラスを介して照射した光の反射光を取り込んで画像を読み取る画像読取手段と、原稿をスリットガラス上に案内する通紙経路に通紙して搬送する原稿搬送手段と、読取位置の上流側上方に位置する通紙経路の下面を構成するガイド面が形成され、そのガイド面が搬送されてきた原稿を読取位置の上面上を通過するように案内するガイド部材とを備える。
【先行技術文献】
【特許文献】
【０００４】
【特許文献１】特開平１０−１３３２９９
【発明の概要】
【発明が解決しようとする課題】
【０００５】
本発明の目的は、原稿の厚さが異なる場合でも、原稿に付着した付着物により画像読取品質が低下することを抑制することができる原稿送り装置及び画像読取装置を提供することにある。
【課題を解決するための手段】
【０００６】
本発明の一態様は、上記目的を達成するため、以下の原稿送り装置及び画像形成装置を提供する。
【０００７】
［１］湾曲した部分を有し、原稿が搬送される搬送路と、前記搬送路の前記湾曲した部分の終端部を横切るように設定された画像読取線上の前記原稿が通過する位置を前記搬送路内で変更する変更部材とを備えた原稿送り装置。
【０００８】
［２］湾曲した部分を有し、原稿が搬送される搬送路と、前記搬送路を搬送する前記原稿の厚みを検知する検知部と、前記検知部により検知された前記原稿の厚みに応じて、前記搬送路の前記湾曲した部分の終端部を横切るように設定された画像読取線上の前記原稿が通過する位置を前記搬送路内で制御する制御部とを備えた原稿送り装置。
【０００９】
［３］前記変更部材は、前記搬送路の前記湾曲した部分により前記原稿が湾曲されたときの反力を受けて弾性変形することにより、画像読取線上の前記原稿が通過する位置を前記搬送路内で変更する請求項１に記載の原稿送り装置。
【００１０】
［４］湾曲した部分を有し、原稿が搬送される搬送路と、前記搬送路の前記湾曲した部分の終端部を横切るように設定された画像読取線上の前記原稿が通過する位置を前記搬送路内で変更する変更部材と、前記画像読取線上を通過した前記原稿を光学的に読み取る読取部とを備えた画像読取装置。
【発明の効果】
【００１１】
請求項１，４に係る発明によれば、原稿の厚さが異なる場合でも、原稿に付着した付着物により画像読取品質が低下することを抑制することができる。
【００１２】
請求項２に係る発明によれば、原稿の厚さに応じて変更部材を調節する手間を省略することができる。
【００１３】
請求項３に係る発明によれば、原稿の厚さに応じて変更部材を調節する手間を省略するとともに、原稿の厚さを検出する構成を簡略化することができる。
【図面の簡単な説明】
【００１４】
【図１】図１は、本発明の第１の実施の形態に係る画像形成装置の外観を示す正面図である。
【図２】図２は、本発明の第１の実施の形態に係る原稿送り装置及び画像形成装置の概略構成例を示す断面図である。
【図３】図３（ａ），（ｂ）は、本発明の第１の実施の形態に係る原稿送り装置が厚紙の原稿及び薄紙の原稿をそれぞれ搬送する経路の一例を示す断面図である。
【図４】図４は、本発明の第２の実施の形態に係る原稿送り装置及び画像形成装置の概略構成例を示す断面図である。
【図５】図５（ａ），（ｂ）は、本発明の第２の実施の形態に係る原稿送り装置が厚紙の原稿及び薄紙の原稿をそれぞれ搬送する経路の一例を示す断面図である。
【図６】図６は、本発明の第３の実施の形態に係る原稿送り装置及び画像形成装置の概略を示す断面図である。
【図７】図７は、本発明の第３の実施の形態に係る画像形成装置の動作の一例を示すフローチャートである。
【発明を実施するための形態】
【００１５】
［第１の実施の形態］
図１は、本発明の第１の実施の形態に係る画像形成装置の外観を示す正面図である。画像形成装置１００は、例えば、複写機、プリンタ、スキャナ等の複数の機能を有する複合機である。画像形成装置１００の代わりに、単一の機能を有する複写機又はスキャナでもよい。
【００１６】
画像形成装置１００は、本体部（装置本体）１と、本体部１の上部に設置された原稿送り装置２と、本体部１の前部に収納された２つの給紙トレイ３と、本体部１の側面に設けられた開閉式の手差しトレイ４と、本体部１の空間部に設けられ、印刷された用紙が排紙される排紙部５と、本体部１の上面に設けられ、操作者による操作及び情報の表示等に用いられる操作表示部６と、本体部１の内部に設けられ、原稿送り装置２により搬送された原稿１０を光学的に読み取る画像読取部（読取部）７等を備えて構成されている。なお、原稿送り装置２及び画像読取部７は、画像読取装置を構成する。
【００１７】
本体部１の内部には、上述の画像読取部７の他に、給紙トレイ３から供給された用紙上に画像を形成する画像形成部と、用紙を所定の搬送路に沿って搬送する用紙搬送部と、画像形成装置１００の各部に電源を供給する電源装置と、これらの各部を制御する、例えば、ＣＰＵ等により実現される本体制御部（いずれも図示せず）等が設けられている。
【００１８】
なお、本体部１は、オフィス、社内等に設置された複数のパーソナルコンピュータ（ＰＣ）にローカルエリアネットワーク（ＬＡＮ）等のネットワークを介して接続されていていてもよい。
【００１９】
原稿送り装置２は、複数枚の原稿１０を積層してセット可能な原稿トレイ２０と、画像読取部７により読み取られた原稿１０が順次排紙される排紙トレイ２１と、原稿トレイ２０に置かれた原稿１０が画像読取部７の画像読取線を経由して排紙トレイ２１に順次搬送される搬送路２２等を備える。
【００２０】
給紙トレイ３は、本体部１の収納部に挿抜可能に収納されるとともに、Ａ４、Ｂ４、Ｂ５等の各種規格に対応したサイズの異なる用紙が内部に積載可能となっている。給紙トレイ３の数は、１つでもよいし、３つ以上でもよい。
【００２１】
手差しトレイ４は、給紙トレイ３に収容されている用紙とは異なるサイズや普段用いないオーバーヘッドプロジェクター（ＯＨＰ）シートや色付きの用紙等を使用したいとき、給紙トレイ３に使用希望の用紙が用紙切れのとき、又は指定した用紙が給紙トレイ３に収容されていないとき等に用いられるもので、通常は、本体部１へ閉じられている。
【００２２】
排紙部５は、画像形成部により印刷された用紙を順次重ねるようにして排紙する構成になっている。
【００２３】
操作表示部６は、例えば、ディスプレイの表面にタッチパネルを重畳して実現されるタッチパネルディスプレイやスタートキー等のハードキーを備え、操作者の操作により表示、設定、入力、指示が可能に構成されている。
【００２４】
画像読取部７は、原稿１０に光を照射する照射ランプと、照射ランプの光が原稿１０により反射された光を画像データとして読み取るＣＣＤ（Charge Coupled Device）等からなるイメージセンサと、照射ランプ及びイメージセンサを本体部１の内部で水平方向に移動する移動機構とを備える。
【００２５】
図２は、本発明の第１の実施の形態に係る原稿送り装置及び画像形成装置の概略構成例を示す断面図である。
【００２６】
画像形成装置１００は、本体部１の上面に、原稿送り装置２により搬送された原稿１０が上方を通過するスリットガラス８Ａと、原稿１０が固定的に置かれるコンタクトガラス８Ｂとが配置されている。
【００２７】
スリットガラス８Ａ及びコンタクトガラス８Ｂは、画像読取部７の照射ランプからの光を透過し、移動機構によりスリットガラス８Ａ及びコンタクトガラス８Ｂの下方にイメージセンサが移動されることにより、スリットガラス８Ａ及びコンタクトガラス８Ｂ上の原稿１０がイメージセンサにより光学的に読み取られ、画像データが生成される。特に、スリットガラス８Ａ上を通過する原稿１０は、搬送路２２の湾曲した部分の終端部を横切るように設定された画像読取線７０上を通過する際に読み取られる。
【００２８】
また、スリットガラス８Ａの上面には、原稿１０が通り抜ける際に、その原稿１０の読取面１０ａに付着した汚れ、塵、未乾燥のインク等の付着物を擦り落とす交換可能なクリーニングシート８０が設けられている。
【００２９】
（原稿送り装置の構成）
原稿送り装置２は、上述の原稿トレイ２０、排紙トレイ２１及び搬送路２２の他に、原稿１０が画像読取線７０上を通過する位置を搬送路２２内で変更する経路変更部材（変更部材）２３Ａと、原稿送り装置２の外装として機能し、搬送路２２及び経路変更部材２３Ａ等を覆うカバー２４とを備える。
【００３０】
搬送路２２には、原稿１０を原稿トレイ２０から排紙トレイ２１まで搬送する搬送方向の上流側から順に、原稿押さえロール２２０Ａと、フィードロール２２０Ｂと、一対のレジロール２２０Ｃと、エンドロール２２０Ｄとが配置されている。
【００３１】
原稿押さえロール２２０Ａ、フィードロール２２０Ｂ、レジロール２２０Ｃ及びエンドロール２２０Ｄは、図示しないモータ等により回転駆動されることにより原稿１０を下流側に送り出すように構成されている。
【００３２】
原稿押さえロール２２０Ａは、複数枚の原稿１０を挟んで下方向に加圧する機構を有する。フィードロール２２０Ｂは、搬送路２２を挟んでフィードロール２２０Ｂの対向する位置に、原稿１０との間の摩擦力により原稿１０を１枚ずつに分離する分離パッド２２２が配置されている。レジロール２２０Ｃは、原稿１０に送り出す際に原稿１０に加圧する圧力バランスを調節してスキュー（傾き）補正を行う機構を有する。
【００３３】
また、搬送路２２には、原稿１０を湾曲させて通過させるように、原稿押さえロール２２０Ａからフィードロール２２０Ｂまでの原稿１０の読取面１０ａ及び非読取面１０ｂの両側にそれぞれ設けられた固定ガイド２２１Ａ，２２１Ｂと、フィードロール２２０Ｂからレジロール２２０Ｃまでの原稿１０の両側にそれぞれ設けられた固定ガイド２２１Ｃ，２２１Ｄと、レジロール２２０Ｃからエンドロール２２０Ｄまでの原稿１０の非読取面１０ｂ側に設けられた固定ガイド２２１Ｅと、レジロール２２０Ｃから経路変更部材２３Ａまでの原稿１０の読取面１０ａ側に設けられた固定ガイド２２１Ｆと、画像読取線７０の下流側からエンドロール２２０Ｄまでの原稿１０の読取面１０ａ側に設けられた固定ガイド２２１Ｇとが配置されている。
【００３４】
固定ガイド２２１Ｅ、及び固定ガイド２２１Ｆにより形成される搬送路が、湾曲した部分に相当する。また、固定ガイド２２１Ｂは、原稿トレイ２０と一体的に形成され、固定ガイド２２１Ｇは、排紙トレイ２１と一体的に形成されている。
【００３５】
経路変更部材２３Ａは、固定ガイド２２１Ｆと画像読取線７０との間に設けられており、水平方向に移動可能な移動ガイド２３０と、操作表示部６からの移動指示に応じて移動ガイド２３０を水平方向に移動させるアクチュエータ２３１とを備える。
【００３６】
移動ガイド２３０は、固定ガイド２２１Ｆに沿って湾曲された原稿１０の読取面１０ａに接触して、原稿１０が画像読取線７０上を通過する位置を搬送路２２内で変更する
【００３７】
ここで、移動ガイド２３０により画像読取線７０上を通過する位置を変更しない場合には、原稿１０の厚さが薄い、すなわち、原稿の剛性（コシ）が弱い程、原稿１０がスリットガラス８Ａ上に着地する着地位置は、スリットガラス８Ａにおいて原稿１０の搬送方向の上流寄りに位置することとなる。そして、原稿１０が、画像読取線７０の近傍に着地した場合には、その原稿１０の付着物がスリットガラス８Ａに付着し、画像読取処理により生成される画像データの品質が低下する。
【００３８】
従って、移動ガイド２３０は、原稿１０が厚く、原稿１０の着地位置が画像読取線７０よりも下流側に位置するような場合には、後進位置（図２では左側）に移動される。一方、原稿１０が薄く、原稿１０の着地位置が画像読取線７０よりも上流側に着地するような場合には、前進位置（図２では右側）に移動される。
【００３９】
なお、本実施の形態では、移動ガイド２３０は、前進位置及び後進位置の２つの位置を取り得るものとしたが、３つ以上の位置を取り得るようにしてもよいし、移動可能な位置を無段階に取り得るようにしてもよい。
【００４０】
また、移動ガイド２３０が原稿１０に接触する面には、原稿１０の付着物を擦り落とすように、クリーニングシート８０と同等のシートが交換可能に貼り付けられている。
【００４１】
アクチュエータ２３１は、本実施の形態では、操作表示部６からの移動指示に応じて動作するものとするが、操作表示部６とは別にレバーやスイッチ等の移動指示部を設け、その移動指示部からの移動指示に応じて動作してもよい。
【００４２】
（画像形成装置の動作）
次に、本実施に形態に係る画像形成装置の動作について図３を参照して説明する。ここでは、厚紙の原稿及び薄紙の原稿をそれぞれ複写（コピー）する場合について説明する。
【００４３】
（ａ）厚紙の原稿を搬送する場合
操作者が、厚紙の原稿１０Ａを原稿トレイ２０に置いて、操作表示部６を操作してその厚紙の原稿１０Ａを読み取って複写するように複写指示を行うと、画像形成装置１００の本体制御部は、その複写指示に基づく厚紙搬送命令を原稿送り装置２に送る。
【００４４】
次に、原稿送り装置２は、その厚紙搬送命令を受け付けると、アクチュエータ２３１により移動ガイド２３０を後進位置に移動させる。
【００４５】
次に、原稿送り装置２は、原稿押さえロール２２０Ａを下方向に加圧した状態で回転することにより、原稿トレイ２０に置かれた厚紙の原稿１０Ａをカバー２４内に取り込むと、固定ガイド２２１Ａ，２２１Ｂの間を通過し、フィードロール２２０Ｂが設けられた位置まで搬送される。
【００４６】
次に、フィードロール２２０Ｂまで搬送された原稿は、フィードロール２２０Ｂと分離パッド２２２との間の摩擦力により１枚ずつに分離され、フィードロール２２０Ｂの回転により固定ガイド２２１Ｃ，２２１Ｄの間を通過してレジロール２２０Ｃまで搬送される。
【００４７】
そして、レジロール２２０Ｃまで搬送された原稿は、スキュー補正が行われるとともに、レジロール２２０Ｃの回転により固定ガイド２２１Ｅ．２２１Ｆの間を通過して経路変更部材２３Ａが設けられた位置まで搬送される。
【００４８】
図３（ａ）は、厚紙の原稿を搬送する経路の一例を示す断面図である。厚紙の原稿１０Ａは、固定ガイド２２１Ｆに部分的に接触しながら固定ガイド２２１Ｆを通過すると、後進位置に移動された移動ガイド２３０の先端部に接触し、さらにクリーニングシート８０の先端部に接触する円弧状の経路に沿って搬送され、画像読取線７０よりも下流側の着地位置１１Ａに着地する。
【００４９】
そして、その厚紙の原稿１０Ａは、固定ガイド２２１Ｅ，２２１Ｇの間を通過してエンドロール２２０Ｄの位置まで搬送され、さらにエンドロール２２０Ｄの回転により排紙トレイ２１に排紙される。
【００５０】
また、厚紙の原稿１０Ａが画像読取線７０を通過したときに、画像読取部７のイメージセンサは、その通過した厚紙の原稿１０Ａの読取面１０ａを光学的に読み取って画像データを生成する画像読取処理を行い、画像読取処理により生成した画像データを本体制御部に送る。
【００５１】
そして、本体制御部は、その画像データを受け取ると、用紙搬送部及び画像形成部を制御し、その画像データに基づく印刷処理を行う。具体的には、用紙搬送部により給紙トレイ３から用紙が画像形成部に搬送され、その搬送された用紙に画像データに基づくトナー像が画像形成部により印刷されることにより、厚紙の原稿１０Ａの読取面１０ａと同一の画像が印刷された用紙が排紙部５に排紙される。
【００５２】
（ｂ）薄紙の原稿を搬送する場合
操作者が、薄紙の原稿１０Ｂを原稿トレイ２０に置いて操作表示部６により複写指示を行うと、画像形成装置１００の本体制御部は、その複写指示に基づく薄紙搬送命令を原稿送り装置２に送る。
【００５３】
次に、原稿送り装置２は、その薄紙搬送命令を受け付けると、アクチュエータ２３１により移動ガイド２３０を前進位置に移動させる。
【００５４】
次に、原稿送り装置２は、厚紙の原稿１０Ａを搬送したのと同様に、原稿押さえロール２２０Ａ、フィードロール２２０Ｂ及びレジロール２２０Ｃを回転することにより、薄紙の原稿１０Ｂを経路変更部材２３Ａが設けられた位置まで搬送する。
【００５５】
図３（ｂ）は、薄紙の原稿を搬送する経路の一例を示す断面図である。薄紙の原稿１０Ｂは、固定ガイド２２１Ｆに接触しながら固定ガイド２２１Ｆを通過すると、前進位置に移動された移動ガイド２３０の先端部に接触することにより、移動ガイド２３０が前進位置にない場合に比べて着地位置が遠くになるように、画像読取線７０上を通過する位置が変更される。そして、薄紙の原稿１０Ｂは、クリーニングシート８０の先端部に接触する円弧状の経路に沿って搬送され、画像読取線７０よりも下流側の着地位置１１Ｂに着地する。
【００５６】
そして、その薄紙の原稿１０Ｂは、厚紙の原稿１０Ａと同様に、固定ガイド２２１Ｅ，２２１Ｇの間を通過し、エンドロール２２０Ｄの回転により排紙トレイ２１に排紙される。
【００５７】
また、薄紙の原稿１０Ｂが画像読取線７０を通過したときに、画像読取部７により画像読取処理が行われ、用紙搬送部及び画像形成部により画像読取処理による画像データに基づく印刷処理が行われることにより、薄紙の原稿１０Ｂの読取面１０ａと同一の画像が印刷された用紙が排紙部５に排紙される。
【００５８】
［第２の実施の形態］
第１の実施の形態に係る画像形成装置１００は、経路変更部材２３Ａのアクチュエータ２３１により移動ガイド２３０を前進位置又は後進位置に移動することにより画像読取線７０上の原稿１０が通過する位置を変更した。これに対し、本実施の形態に係る画像形成装置１００は、原稿が湾曲されたときの反力を受けて弾性変形することにより画像読取線７０上の原稿１０が通過する位置を変更する原稿送り装置２を備え、その他は第１の実施の形態と同様に構成されている。
【００５９】
図４は、本発明の第２の実施の形態に係る原稿送り装置及び画像形成装置の概略構成例を示す断面図である。この原稿送り装置２は、第１の実施の形態と同様の原稿トレイ２０、排紙トレイ２１、搬送路２２及びカバー２４の他に、固定ガイド２２１Ｆにより湾曲された原稿１０の反力に応じて、移動ガイド２３０の先端部の高さが変動する経路変更部材２３Ｂとを備える。
【００６０】
経路変更部材２３Ｂは、固定ガイド２２１Ｆと画像読取線７０との間に設けられた移動ガイド２３０と、支軸２３２ａを中心にして傾動可能な傾動部２３２と、傾動部２３２の下側に設けられ、傾動部２３２の上方に弾性力が作用するスプリング（弾性部材）２３３と、移動ガイド２３０の下方への移動を一定の距離に制限するストッパ２３４とを備える。
【００６１】
なお、移動ガイド２３０を設けずに、ウレタンゴムや板ばね等の弾性部材によって上記と同等の機能を発揮するようにしてもよい。
【００６２】
図５（ａ）は、厚紙の原稿を搬送する経路の一例を示す断面図、図５（ｂ）は、薄紙の原稿を搬送する経路の一例を示す断面図である。厚紙及び薄紙の原稿１０Ａ，１０Ｂは、固定ガイド２２１Ｆにより湾曲された状態で移動ガイド２３０に接触すると、移動ガイド２３０の下方に作用する原稿１０Ａ，１０Ｂの反力に応じてスプリング２３３が圧縮変形し、その圧縮変形した変形量だけ支軸２３２ａを中心にして傾動部２３２が傾く。これにより、傾動部２３２に取り付けられた移動ガイド２３０が下方に移動し、画像読取線７０上の原稿１０Ａ，１０Ｂが通過する位置が変更される。
【００６３】
ここで、原稿が厚くなる程、原稿の反力は大きくなるため、スプリング２３３の変形量は相対的に大きくなり、移動ガイド２３０が下方に移動する移動距離も大きくなる。そして、移動ガイド２３０の移動距離が大きくなる程、原稿がスリットガラス８Ａに着地する着地位置が遠くにならないように、画像読取線７０上の原稿１０Ａ，１０Ｂが通過する位置が変更される。
【００６４】
すなわち、図５（ａ）に示す厚紙の原稿１０Ａが搬送された場合には、図５（ｂ）に示す薄紙の原稿１０Ｂが搬送された場合よりも、スプリング２３３の変形量が大きいため、薄紙の原稿１０Ａによる移動ガイド２３０の移動距離Ｄ１は、薄紙の原稿１０Ｂによる移動ガイド２３０の移動距離Ｄ２よりも大きくなる。
【００６５】
［第３の実施の形態］
第１の実施の形態に係る画像形成装置１００は、操作表示部６を介して行なわれた操作指示に従って移動ガイド２３０を移動した。これに対し、本実施の形態に係る画像形成装置１００は、原稿の厚みを検出し、その検出した厚みに応じて移動ガイド２３０の移動量を制御する原稿送り装置２を備え、その他は第１の実施の形態と同様に構成されている。
【００６６】
図６は、本発明の第３の実施の形態に係る原稿送り装置及び画像形成装置の概略を示す断面図である。この原稿送り装置２は、第１の実施の形態と同様の原稿トレイ２０、排紙トレイ２１、搬送路２２及びカバー２４の他に、固定ガイド２２１Ｆの中央付近に設けられ、原稿の厚みを検知する厚み検知部（検知部）２５と、厚み検知部２５により検出された厚みに応じて、移動ガイド２３０の移動量を決定し、その移動量に基づく駆動命令をアクチュエータ２３１に送るアクチュエータ制御部（制御部）２６と、アクチュエータ制御部２６からの駆動命令に従ってアクチュエータ２３１を駆動させて、移動ガイド２３０の位置を移動する経路変更部材２３Ｃとを備える。
【００６７】
厚み検知部２５は、原稿の反力に応じて振れ量が変わる先端部を有し、先端部の振れ量から原稿の厚みに換算する換算式を用いることにより、原稿の厚みを検知する。なお、原稿の厚みを検知する方法としては、例えば、原稿に光を照射し、その光が原稿により反射された反射率や、その光が原稿を透過した透過率から換算してもよいし、原稿に超音波を当てて、その超音波が原稿により反射された振動周期から換算してもよい。なお、厚み検知部２５を設ける位置は、固定ガイド２２１Ｆに限られず、他の固定ガイドに設けてもよい。
【００６８】
（画像形成装置の動作）
次に、本実施の形態に係る画像形成装置の動作について図７を参照して説明する。
【００６９】
図７は、画像形成装置の動作の一例を示すフローチャートである。操作者が、原稿１０を原稿トレイ２０に置いて複写指示を行うと、画像形成装置１００の本体制御部は、その複写指示に基づく搬送命令を原稿送り装置２に送り、原稿の搬送を開始する（Ｓ１）。
【００７０】
次に、原稿送り装置２は、その搬送命令を受け付けると、原稿押さえロール２２０Ａ、フィードロール２２０Ｂ及びレジロール２２０Ｃを回転することにより、厚み検知部２５が設けられた位置まで搬送する。
【００７１】
そして、厚み検知部２５は、固定ガイド２２１Ｆにより原稿１０が湾曲したときの反力により先端部が振れた振れ量から原稿１０の厚みを検知する（Ｓ２）。
【００７２】
次に、アクチュエータ制御部２６は、厚み検知部２５により検知された原稿１０の厚みに応じて、移動ガイド２３０の移動量を決定する（Ｓ３）。すなわち、アクチュエータ制御部２６は、原稿１０の厚みが薄い程、移動ガイド２３０を前進（図６の右側方向）する距離が大きくなるように移動量を決定し、その移動量に基づく駆動命令をアクチュエータ２３１に送る。
【００７３】
次に、アクチュエータ２３１は、アクチュエータ制御部２６からの駆動命令に従って駆動し、移動ガイド２３０の位置を移動する（Ｓ４）。
【００７４】
次に、原稿１０が、経路変更部材２３Ｃが設けられた位置まで搬送されると、移動ガイド２３０により変更された経路で画像読取線７０上を通過し、画像読取部７により画像読取処理が行われる（Ｓ５）。
【００７５】
そして、原稿１０は、排紙トレイ２１に排紙されるとともに、印刷処理により原稿１０の読取面１０ａと同一の画像が印刷された用紙が排紙部５に排紙される。
【００７６】
［他の実施の形態］
なお、本発明は、上記各実施の形態に限定されず、本発明の趣旨を逸脱しない範囲内で種々な変形が可能である。例えば、経路変更部材は、アクチュエータを採用したが、移動ガイドを移動させる機構であればこれに限られず、例えば、ベルト構造、リンク構造又はカム構造を採用してもよい。
【符号の説明】
【００７７】
１…本体部、２…原稿送り装置、３…給紙トレイ、４…手差しトレイ、５…排紙部、６…操作表示部、７…画像読取部、８Ａ…スリットガラス、８Ｂ…コンタクトガラス、１０…原稿、１０Ａ…厚紙の原稿、１０Ｂ…薄紙の原稿、１０ａ…読取面、１０ｂ…非読取面、１１Ａ，１１Ｂ…着地位置、２０…原稿トレイ、２１…排紙トレイ、２２…搬送路、２３Ａ〜２３Ｃ…経路変更部材、２４…カバー、２５…厚み検知部、２６…アクチュエータ制御部、７０…画像読取線、８０…クリーニングシート、１００…画像形成装置、２２０Ａ…原稿押さえロール、２２０Ｂ…フィードロール、２２０Ｃ…レジロール、２２０Ｄ…エンドロール、２２１Ａ〜２２１Ｇ…固定ガイド、２２２…分離パッド、２３０…移動ガイド、２３１…アクチュエータ、２３２…傾動部、２３２ａ…支軸、２３３…スプリング、２３４…ストッパ
【図１】
2010190979.tif 000003
【図２】
2010190979.tif 000004
【図３】
2010190979.tif 000005
【図４】
2010190979.tif 000006
【図５】
2010190979.tif 000007
【図６】
2010190979.tif 000008
【図７】
2010190979.tif 000009